(57)【要約】【課題】植物の株間隔の変更に合わせて光源間隔を容易に変更可能とし、光源より照射される光を効率良く利用することが可能な栽培システムの提供。【解決手段】照射装置１００と、照射装置１００によって光が照射される照射対象物Ｓの設置台２００とを有する栽培システム５００であって、照射装置１００は、駆動回路１３２と、駆動回路１３２に接続され、所定の方向Ｘに延びて配置された通電部材１４３、１４４、１４５と、通電部材１４３、１４４、１４５の所望の位置に電気的に接続された状態で配置可能であって、各々が光源１１２を有する複数の第１の部材１１１と、第１の部材１１１が通電部材１４３、１４４、１４５に配置された状態で第１の部材１１１を保持する保持部材１４１と、を備え、設置台２００には、照射対象物Ｓごとに照射対象物Ｓの設置場所２１０が規定されていることを特徴とする栽培システム５００。【選択図】図３
2020018214.tif 000002
【特許請求の範囲】
【請求項１】
照射装置と、当該照射装置によって光が照射される照射対象物の設置台とを有する栽培システムであって、
前記照射装置は、
駆動回路と、
前記駆動回路に接続され、所定の方向に延びて配置された通電部材と、
前記通電部材の所望の位置に電気的に接続された状態で配置可能であって、各々が光源を有する複数の第１の部材と、
前記第１の部材が前記通電部材に配置された状態で前記第１の部材を保持する保持部材と、を備え、
前記設置台には、前記照射対象物ごとに前記照射対象物の設置場所が規定されていることを特徴とする栽培システム。
【請求項２】
請求項１記載の栽培システムにおいて、
前記通電部材は、前記保持部材に設けられることを特徴とする栽培システム。
【請求項３】
請求項１または２記載の栽培システムにおいて、
前記照射装置は、前記通電部材の所望の位置に配置可能であって、前記光源からの光を反射する少なくとも１つの第２の部材を備えることを特徴とする栽培システム。
【請求項４】
請求項１ないし３のいずれか１つに記載の栽培システムにおいて、
前記保持部材は、前記第１の部材を前記所定の方向にスライド可能に保持することを特徴とする栽培システム。
【請求項５】
請求項１ないし４のいずれか１つに記載の栽培システムにおいて、
前記保持部材は、複数の前記第１の部材が前記所定の方向において所定の長さで重なり合うように前記第１の部材を保持することを特徴とする栽培システム。
【請求項６】
請求項３記載の栽培システムにおいて、
前記保持部材は、当該保持部材に保持された前記第１の部材および／または前記第２の部材を離脱可能とする離脱機構を有することを特徴とする栽培システム。
【請求項７】
駆動回路と、
前記駆動回路に接続され、所定の方向に延びて配置された通電部材と、
前記通電部材の所望の位置に電気的に接続された状態で配置可能であって、各々が光源を有する複数の第１の部材と、
前記第１の部材が前記通電部材に配置された状態で前記第１の部材を保持する保持部材と、を備えることを特徴とする照射装置。
【発明の詳細な説明】
【技術分野】
【０００１】
本発明は、栽培システム及び照射装置に関する。
【背景技術】
【０００２】
水耕栽培システムによる植物栽培では、栽培する植物の成長に合わせて株間のピッチがより広い設置トレーに移植を行い、植物の成長に伴う株同士の葉の重なりによる日陰部分を解消し、植物に光を効率良く吸収させる栽培方法が知られている。
【０００３】
植物に人工的な光を照射する光源としてＬＥＤを用いた照射装置を利用した植物栽培においては、ＬＥＤ光源より照射される光を効率良く利用するために、ＬＥＤ光源の直下に栽培する植物の株を配置することが望ましい。
この点、照射装置全体のサイズを変更可能とする技術は提案されているものの（例えば特許文献１参照）、この技術においては、照射装置におけるＬＥＤ光源間のピッチは容易には調整できない。すなわち、植物の成長に伴い株間のピッチは広くなるにもかかわらず、ＬＥＤ光源間のピッチは固定された状態で植物が栽培されるので、ＬＥＤ光源より照射される光を効率良く利用できていないという問題があった。
【発明の概要】
【発明が解決しようとする課題】
【０００４】
本発明は、植物の株間隔の変更に合わせて光源間隔を容易に変更可能とし、光源より照射される光を効率良く利用することが可能な栽培システムを提供することを目的とする。
【課題を解決するための手段】
【０００５】
上記目的を達成するため、本発明は、照射装置と、当該照射装置によって光が照射される照射対象物の設置台とを有する栽培システムであって、前記照射装置は、駆動回路と、前記駆動回路に接続され、所定の方向に延びて配置された通電部材と、前記通電部材の所望の位置に電気的に接続された状態で配置可能であって、各々が光源を有する複数の第１の部材と、前記第１の部材が前記通電部材に配置された状態で前記第１の部材を保持する保持部材と、を備え、前記設置台には、前記照射対象物ごとに前記照射対象物の設置場所が規定されていることを特徴とする栽培システムにある。
【発明の効果】
【０００６】
本発明によれば、植物の株間隔の変更に合わせて光源間隔を容易に変更可能とし、光源より照射される光を効率良く利用することが可能となる。
【図面の簡単な説明】
【０００７】
【図１】本発明に係る栽培システムの一例の概略図である。
【図２】図１に示した栽培システムに備えられた設置台の一例を示す平面図である。
【図３】本発明に係る照射装置の一例の斜視図である。
【図４】図３に示した照射装置の別角度からの斜視図である。
【図５】図３に示した照射装置に備えられた第１の部材、第２の部材及び第３の部材の一例の正面図である。
【図６】図５に示した各部材の平面図である。
【図７】図５に示した各部材の底面図である。
【図８】図３に示した照射装置に備えられたケースの一例の斜視図である。
【図９】図８に示したケースの右側面図である。
【図１０】図３に示した照射装置の回路図である。
【図１１】光源間隔を変更する前の状態を示す図である。
【図１２】光源間隔を変更した後の状態の一例を示す図である。
【図１３】図５に示した第１の部材の他の一例を示す図である。
【図１４】図８に示したケースの他の一例の右側面図である。
【図１５】通電部材の変形例の平面図である。
【図１６】図１５に示した通電部材の斜視図である。
【図１７】第１の部材、第２の部材及び第３の部材の変形例の底面図である。
【図１８】図１５に示した通電部材及び図１７に示した各部材を備えた照射装置の斜視図である。
【図１９】図１７に示した各部材上の回路配線及び電極の接続状態の一例を示す図である。
【図２０】保持部材の変形例の左側面図である。
【図２１】図２０に示した保持部材を備えた照射装置の一例の斜視図である。
【図２２】図２１に示した照射装置の左側面図である。
【図２３】第１の部材のさらに他の一例の正面図である。
【図２４】植物Ｓの株の移動の一例を示す図である。
【発明を実施するための形態】
【０００８】
図１に、本発明に係る栽培システムとしての水耕栽培システム５００の一例を示す。
図１に示すように、水耕栽培システム５００は、上段に配置された栽培槽１０と、栽培槽１０の下段に配置された栽培槽２０とを備えている。栽培槽１０、２０はサイフォン管３０を介して接続された同容積の槽であり、それぞれ槽内下部に養液Ｌを貯留可能である。本実施形態では、養液Ｌとして、水を主成分として栄養分を含有させた液体を使用しているが、養液Ｌはこれに限られるものではなく、単なる水や水を主成分としない液体であってもよい。
【０００９】
栽培槽１０、２０の上部には、それぞれ、養液Ｌによって生育する植物Ｓの設置台としての設置トレー２００が配置されている。植物Ｓは葉Ｈと根Ｎを有する植物であり、本実施形態では、例えばレタスや小松菜などの葉野菜を想定している。図１では、設置トレー２００には植物Ｓが１つ設置されているが、実際には複数の植物Ｓが設置されている。
図２に示すように、設置トレー２００には、植物Ｓごとに植物Ｓの設置場所としての穴２１０が規定されている。すなわち、設置トレー２００は、複数の植物Ｓのそれぞれに対応する複数の穴２１０を有している。植物Ｓは、根Ｎを穴２１０に挿入することによって栽培槽１０、２０に設置される。本実施形態では、設置トレー２００に穴２１０が６つ設けられる例を示したが、穴２１０の数はこれに限らず、植物Ｓの成長段階や種類、栽培槽１０、２０の大きさ等によって適宜変更することが可能である。
【００１０】
栽培槽２０の下段には、サイフォン管４０を介して栽培槽２０と接続された溜めタンク５０が設けられており、溜めタンク５０には養液Ｌが溜められている。
溜めタンク５０は循環配管６０を介して栽培槽１０と接続されており、循環配管６０の途中には養液ポンプ７０とバブル発生器８０とが設けられている。養液ポンプ７０を作動することによって、溜めタンク５０中の養液Ｌを循環配管６０を通じて栽培槽１０に供給することが可能である。
【００１１】
バブル発生器８０は、気体タンク９０から気体の供給を受けて養液Ｌ中にバブルを発生させるものであり、養液ポンプ７０の下流側に設けられる。バブル発生方式には、キャビテーション方式や加圧溶解方式などを利用することが可能である。
栽培槽１０、２０の直上には、栽培槽１０、２０の上面全体、すなわち栽培槽１０、２０に設置された照射対象物としての植物Ｓに光を照射する照射装置としての植物用照射装置１００が設けられている。
【００１２】
サイフォン管３０は、側面視で逆Ｊ字状に湾曲した管であり、その両端部に取水口と排水口とを有している。取水口は栽培槽１０の底面近傍に設定した下限水位ＬＷＬ、例えば根Ｎの下端に位置しており、排水口は栽培槽２０の内部に配置されている。サイフォン管３０の頂部は、植物Ｓの葉Ｈと根Ｎとの境界部の高さに設定した上限水位ＨＷＬに位置している。
【００１３】
サイフォン管４０も、サイフォン管３０と同様の配置態様となっている。すなわち、サイフォン管４０の取水口は栽培槽２０の底面近傍に設定した下限水位ＬＷＬに位置し、排水口は溜めタンク５０の内部に配置される。サイフォン管４０の頂部は、植物Ｓの葉Ｈと根Ｎとの境界部の高さに設定した上限水位ＨＷＬに位置している。
【００１４】
水耕栽培システム５００では、養液ポンプ７０を所定のタイミングでオン・オフ操作することによって、サイフォン管３０、４０内を養液Ｌで交互に満たし、サイフォン動作による排水を交互に生じさせ、栽培槽１０、２０内の養液Ｌの水位ＷＬを交互に上下させる。各栽培槽１０、２０で水位ＷＬが上限水位ＨＷＬ、下限水位ＬＷＬ間で上下すると、植物Ｓの根Ｎが養液Ｌに浸される状態と、養液Ｌから露出する状態とが繰り返される。本実施形態においては、植物Ｓの根Ｎが養液Ｌから露出する時間を、養液Ｌに浸される時間よりも長く設定する。
【００１５】
上述の動作手順について、より具体的に説明する。
図１に示すように、栽培槽１０内の養液Ｌの水位ＷＬが下限水位ＬＷＬに達すると、栽培槽１０から栽培槽２０へのサイフォン管３０からの自動排水が停止する。一方、栽培槽２０内の養液Ｌの水位ＷＬが上限水位ＨＷＬに達すると、サイフォン管４０内には養液Ｌが満たされるので、サイフォン動作による自動排水を開始する。これにより、栽培槽２０内の養液Ｌは、サイフォン管４０を通じて溜めタンク５０に排水される。
【００１６】
ここで、サイフォン管３０からの自動排水が停止した時点、またはそれ以後に、養液ポンプ７０をオンにして作動させる。溜めタンク５０から循環配管６０を通じて栽培槽１０に養液Ｌの供給を開始し、栽培槽１０の水位ＷＬが上昇する。養液Ｌには、バブル発生器８０で発生させたバブル、すなわちマイクロバブルまたはウルトラファインバブルが混入している。一方、栽培槽２０の水位ＷＬは、サイフォン管４０の自動排水により低下する。栽培槽２０の水位ＷＬが下限水位ＬＷＬに達すると、サイフォン動作が停止し、栽培槽２０から溜めタンク５０への自動排水が停止する。
【００１７】
栽培槽１０の水位ＷＬが上限水位ＨＷＬに達すると、サイフォン管３０内には養液Ｌが満たされるので、サイフォン動作による自動排水を開始する。これにより、栽培槽１０内の養液Ｌは、サイフォン管３０を通じて栽培槽２０に排水される。
【００１８】
ここで、サイフォン管３０による自動排水を開始した時点、またはそれ以後に、養液ポンプ７０をオフにして作動を停止させる。これにより、循環配管６０から栽培槽１０への養液Ｌの供給が停止する。以降、上記の手順で養液ポンプ７０のオン・オフ操作を繰り返すことによって、栽培槽１０、２０内の養液Ｌの水位ＷＬを上限水位ＨＷＬ、下限水位ＬＷＬ間で交互に上下させる。
【００１９】
図３及び図４に、本発明に係る植物用照射装置１００の一例を示す。植物用照射装置１００は、図３において矢印Ｘで示された所定の方向であるＸ方向に長く、Ｘ方向に延在している。Ｘ方向は図１の左右方向に一致する。図３以降の各図において、Ｘ方向は植物用照射装置１００の左右方向を、矢印Ｙで示されたＹ方向は植物用照射装置１００の前後方向を、矢印Ｚで示されたＺ方向は植物用照射装置１００の上下方向を示している。
【００２０】
図３、図４又は図５に示すように、植物用照射装置１００は、各々が光源としてのＬＥＤ１１２を有する複数の第１の部材１１１を備えている。
植物用照射装置１００は、ＬＥＤ１１２を有しない複数の第２の部材１２１を備えている。
植物用照射装置１００は、ＬＥＤ１１２の駆動回路としてのＬＥＤドライバ１３２を有する第３の部材１３１を備えている。
植物用照射装置１００は、第１の部材１１１と第２の部材１２１と第３の部材１３１とを位置決めして収める樹脂製のケース１４０を備えている。
【００２１】
第１の部材１１１はいわゆる電子回路基板である。図６又は図７に示すように、第１の部材１１１は、グランド電極１１３とプラス電極１１４とマイナス電極１１５とを有している。ＬＥＤ１１２は、グランド電極１１３とプラス電極１１４とマイナス電極１１５とに電気的に接続される。第１の部材１１１は、グランド電極１１３とプラス電極１１４とマイナス電極１１５とを除く部分の表面を白色のレジストで覆う等の反射加工が施されている。
Ｘ方向におけるＬＥＤ１１２の間隔は、Ｘ方向における第１の部材１１１の位置を変更することによって変更可能である。
【００２２】
第２の部材１２１は、Ｘ方向の幅がａである。幅ａは任意に設定可能である。第２の部材１２１は、２つの第１の部材１１１の間、又は第１の部材１１１と第３の部材１３１との間の位置に配置される。このような位置に第２の部材１２１を配置することによって、幅ａの調整によりＸ方向におけるＬＥＤ１１２の間隔を任意の幅に設定することが可能である。
第２の部材１２１は、ＬＥＤ１１２からの光を植物Ｓに向けて反射する。すなわち、第２の部材１２１の表面には反射加工が施されている。
第２の部材１２１は、厚さが第１の部材１１１及び第３の部材１３１と同じで厚さで、表面が反射加工されているものであれば、材質は電子回路基板用の素材でなくてもよい。また、第２の部材１２１は複数でなくてもよい。
【００２３】
第３の部材１３１は、第１の部材１１１と同様に、電子回路基板の表面に反射加工が施されたものである。第３の部材１３１は、グランド電極１３３とプラス電極１３４とマイナス電極１３５とを有している。ＬＥＤドライバ１３２は、グランド電極１３３とプラス電極１３４とマイナス電極１３５とに電気的に接続されている。
【００２４】
図８又は図９に示すように、ケース１４０は、第１の部材１１１と第２の部材１２１と第３の部材１３１とをＸ方向にスライド可能に保持する保持部材としてのスライドレール１４１を有している。
ケース１４０は、第１の部材１１１及び第３の部材１３１の防水機能及び防塵機能を有するカバー部材１４２を有している。
ケース１４０は、Ｘ方向に延びて配置された通電部材としての、グランド電極１４３とプラス電極１４４とマイナス電極１４５とを有している。第１の部材１１１、第２の部材１２１及び第３の部材１３１は、グランド電極１４３、プラス電極１４４及びマイナス電極１４５の所望の位置に配置可能である。第１の部材１１１、第２の部材１２１及び第３の部材１３１は、Ｘ方向からスライドレール１４１に挿入することで、グランド電極１４３、プラス電極１４４及びマイナス電極１４５に配置された状態でＸ方向における位置を調整可能に保持される。よって、Ｘ方向におけるグランド電極１４３、プラス電極１４４及びマイナス電極１４５の設定範囲内において任意の位置を占めたＬＥＤ１１２に通電が行われる。
【００２５】
グランド電極１４３とプラス電極１４４とマイナス電極１４５とは、スライドレール１４１に設けられている。
グランド電極１４３は、グランド電極１３３とグランド電極１１３とを電気的に接続する。プラス電極１４４は、プラス電極１３４とプラス電極１１４とを電気的に接続する。マイナス電極１４５は、マイナス電極１３５とマイナス電極１１５とを電気的に接続する。
図１０に示すように、ＬＥＤドライバ１３２の一次電源は、ＤＣで外部より供給を受ける。マイナス電極１４５を基準電位とする場合は、グランド電極１４３はなくてもよい。
【００２６】
図１１に示すように、Ｘ方向における植物Ｓの株間隔が最も狭い設置トレー２００を使用して水耕栽培を行う場合は、第１の部材１１１と第３の部材１３１のみをスライドレール１４１にセットする。
すべての部材がスライドレール１４１にセットされると、グランド電極１１３、１３３とグランド電極１４３、プラス電極１１４、１３４とプラス電極１４４、マイナス電極１１５、１３５とマイナス電極１４５とが電気的に接続される。第３の部材１３１に搭載されたＬＥＤドライバ１３２の出力電流が第１の部材１１１に搭載されたＬＥＤ１１２まで通電し、ＬＥＤ１１２が発光する。
【００２７】
図１２に示すように、栽培する植物Ｓの成長に合わせてＸ方向における株間のピッチがより広い設置トレー２００に移植を行った場合は、まず、第１の部材１１１と第３の部材１３１とをＸ方向にスライドさせてスライドレール１４１より取り外す。そして、Ｘ方向上流側から第１の部材１１１と幅ａを調整された第２の部材１２１とをスライドレール１４１に交互に挿入しセットしていく。第１の部材１１１と第２の部材１２１とは、Ｘ方向下流側からセットしてもよい。
第３の部材１３１は、Ｘ方向におけるどの位置にセットしても電気接続上の問題はないが、ＬＥＤ１１２間のピッチを揃えるためには、スライドレール１４１のＸ方向における最端部に位置するようにセットすることが望ましい。
【００２８】
すべての部材がスライドレール１４１にセットされると、グランド電極１１３、１３３とグランド電極１４３、プラス電極１１４、１３４とプラス電極１４４、マイナス電極１１５、１３５とマイナス電極１４５とが電気的に接続される。第３の部材１３１に搭載されたＬＥＤドライバ１３２の出力電流が第１の部材１１１に搭載されたＬＥＤ１１２まで通電し、ＬＥＤ１１２が発光する。幅ａを調整された第２の部材１２１をスライドレール１４１にセットすることで、ＬＥＤ１１２間のピッチを容易に広げ、かつ正確に位置決めすることが可能となる。
【００２９】
ＬＥＤ１１２間のピッチをさらに広くする場合は、第１の部材１１１と第２の部材１２１と必要に応じて第３の部材１３１とをスライドレール１４１よりＸ方向上流側又は下流側へ引き出して取り外す。そして、第２の部材１２１の幅ａをより広いものに交換し、スライドレール１４１にセットすることで、ＬＥＤ１１２間のピッチを容易に広げ、かつ正確に位置決めすることが可能となる。同様に、ＬＥＤ１１２間のピッチを狭くする場合は、第２の部材１２１の幅ａをより狭いものに交換する。
【００３０】
このように、植物Ｓの株間隔の変更に合わせてＬＥＤ１１２の間隔をフレキシブルに変更可能とすることで、植物Ｓの株の真上にＬＥＤ１１２を配置することができ、ＬＥＤ１１２より照射される光を効率良く利用して植物Ｓを栽培することが可能となる。
また、部材１１１、１２１、１３１ごとに取り外しが可能であるため、あるＬＥＤ１１２に光量低下や故障、不点灯などが発生した場合であっても、そのＬＥＤ１１２を含む第１の部材１１１のみを交換することが可能となる。
第１の部材１１１と第２の部材１２１との様々な組み合わせによって、ＬＥＤ１１２の間隔を任意の幅に設定可能であるため、設計の自由度が高い。
【００３１】
本実施形態では、第２の部材１２１を用いることによってＸ方向におけるＬＥＤ１１２の間隔を変更可能としているが、図１３（ａ）、（ｂ）に示すように、第１の部材１１１のみでＸ方向におけるＬＥＤ１１２の間隔を変更可能としてもよい。
例えば、図１３（ａ）に示すように、Ｘ方向におけるＬＥＤ１１２の配置位置が互いに異なる第１の部材１１１を用いることによってＬＥＤ１１２の間隔を変更可能としてもよい。
また、図１３（ｃ）に示すような上下二段で構成されたスライドレール１４１を用い、図１３（ｂ）に示すように第１の部材１１１を上下二段に配置し、それぞれスライド可能とすることによってＬＥＤ１１２の間隔を変更可能としてもよい。このとき、複数の第１の部材１１１は、Ｘ方向において所定の長さで重なり合うように保持される。所定の長さは、植物Ｓの株間隔に合わせて適宜変更することが可能である。
このように、図１３に示す構成例では、スペーサーとなる第２の部材１２１を用いずともＸ方向におけるＬＥＤ１１２の間隔を変更可能である。
【００３２】
本実施形態では、ＬＥＤドライバ１３２は第３の部材１３１に設けられているが、第１の部材１１１又は第２の部材１２１に設けられていてもよい。ただし、第１の部材１１１と第２の部材１２１とは別にＬＥＤドライバ１３２が搭載された第３の部材１３１を設けることが望ましい。ＬＥＤ１１２は経時で劣化するため交換する必要があるが、ＬＥＤドライバ１３２のみが搭載された第３の部材１３１は長期間にわたって使用することが可能であるからである。
【００３３】
本実施形態では、ケース１４０はスライドレール１４１とカバー部材１４２とを一体として構成したものであるが、これに限らず、図１４に示すように、スライドレール１４１のみから構成されるものであってもよい。
【００３４】
本実施形態では、ＬＥＤ１１２が電気的に並列接続された例を説明したが、ＬＥＤ１１２は直列に接続されていてもよい。
ＬＥＤ１１２を電気的に直列接続するためには、スライドレール１４１側の電極については、図１５又は図１６に示すように、プラス電極１４４とマイナス電極１４５とのうちのいずれか一方を一定の間隔で断続的に配置する。図１５及び図１６は、プラス電極１４４を断続的に配置した例を示しており、隣り合う電極同士は電気的に接続していない。
第１の部材１１１側の電極については、図１７に示すように、プラス電極１１４とマイナス電極１１５とのうちのいずれか一方を両端に配置する。図１７は、プラス電極１１４を両端に配置した例を示しており、両端に配置された電極の間には電極が存在しない状態、すなわち両端に位置する電極同士は電気的に接続されていない状態である。
第２の部材１２１側及び第３の部材１３１側の電極については、２つともベタで配置する。すなわち、２つの電極は連続しており電気的に接続されている。
【００３５】
図１８は、スライドレール１４１に第１の部材１１１、第２の部材１２１及び第３の部材１３１をセットした状態を示している。
スライドレール１４１に各部材１１１、１２１、１３１をセットすることにより、ＬＥＤ１１２は、図１９に示すように直列接続される。図１９において、一点鎖線矢印は、各部材１１１、１２１、１３１上の回路配線及びケース１４０に各部材１１１、１２１、１３１をセットしたときの電極の接続状態を示している。
【００３６】
図２０に、スライドレール１４１の変形例を示す。図２０（ｂ）は、ケース１４０の断面全体を示した図２０（ａ）における二点鎖線内のスライドレール１４１部分の構造を拡大して示している。図２０に示すように、スライドレール１４１は、スライドレール１４１に保持された第１の部材１１１、第２の部材１２１及び第３の部材１３１を離脱可能とする離脱機構１４１ａを有している。離脱機構１４１ａは、樹脂製の弾性を有するいわゆるスナップフィット機構である。
【００３７】
上述の例では、Ｘ方向上流側又は下流側より第１の部材１１１と第２の部材１２１と第３の部材１３１とを順次スライドレール１４１に挿入することでセットし、あるいは取り外ししていた。しかし、本例では、図２１又は図２２に示すように、離脱機構１４１ａを有することによって、各部材１１１、１２１、１３１をＸ方向に移動させずとも、Ｚ方向下流側からセット、取り外しが可能となる。このため、交換したい部材よりもスライドレール１４１の端部側に位置する部材を取り外さなくても、所望する部材のみを交換することが可能となる。また、第２の部材１２１を用いずともＸ方向における所望の位置に第１の部材１１１を位置決め可能となる。
【００３８】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
例えば、反射加工された反射板が、図３に示す一組の保持部材に挟まれる形で保持部材と一体化されており、ＬＥＤ１１２を有する図２３に示す保持部材１４１を用いる場合である。保持部材１４１が第１の部材１１１を任意の位置に着脱可能とする構成としてもよい。この構成であれば、第２の部材１２１は用いなくてもよく、ＬＥＤ１１２とＬＥＤ１１２との間でＬＥＤ１１２からの光を植物Ｓに向けて反射するようになっていればよい。
【００３９】
また、上述の説明では、ＬＥＤ１１２の間隔がすべて均等となるように変更する例を示したが、植物Ｓの株間隔が一定でない場合には、ＬＥＤ１１２の間隔も一定でなくてもよい。上述の説明では、複数の植物Ｓを配置可能な設置トレー２００を使用し、栽培する植物Ｓの成長に合わせてＸ方向における株間のピッチがより広い設置トレー２００に移植を行っていた。しかし、図２４に示すように、複数の設置トレー２００のそれぞれに植物Ｓを配置して、植物Ｓの成長に伴って設置トレー２００をＸ方向上流側から下流側に向かって間隔を開かせながら移動させる構成であってもよい。この構成の場合、ＬＥＤ１１２の間隔がＸ方向上流側から下流側に向かって広くなるように各部材１１１、１２１、１３１を配置するとよい。
【００４０】
本発明の実施の形態に記載された効果は、本発明から生じる最も好適な効果を列挙したに過ぎず、本発明による効果は、本発明の実施の形態に記載されたものに限定されるものではない。
【符号の説明】
【００４１】
１０、２０    栽培槽
３０、４０    サイフォン管
５０    溜めタンク
６０    循環配管
７０    養液ポンプ
８０    バブル発生器
９０    気体タンク
１００    照射装置、植物用照射装置
１１１    第１の部材
１１２    光源、ＬＥＤ
１２１    第２の部材
１３１    第３の部材
１３２    駆動回路、ＬＥＤドライバ
１４０    ケース
１４１    保持部材、スライドレール
１４１ａ    離脱機構
１４２    カバー部材
１４３    通電部材、グランド電極
１４４    通電部材、プラス電極
１４５    通電部材、マイナス電極
２００    設置台、設置トレー
２１０    設置場所、穴
５００    栽培システム、水耕栽培システム
Ｈ    葉
Ｌ    養液
Ｎ    根
Ｓ    照射対象物、植物
ＷＬ    水位
Ｘ    所定の方向
【先行技術文献】
【特許文献】
【００４２】
【特許文献１】特許第５７９４７６０号公報
【図１】
2020018214.tif 000003
【図２】
2020018214.tif 000004
【図３】
2020018214.tif 000005
【図４】
2020018214.tif 000006
【図５】
2020018214.tif 000007
【図６】
2020018214.tif 000008
【図７】
2020018214.tif 000009
【図８】
2020018214.tif 000010
【図９】
2020018214.tif 000011
【図１０】
2020018214.tif 000012
【図１１】
2020018214.tif 000013
【図１２】
2020018214.tif 000014
【図１３】
2020018214.tif 000015
【図１４】
2020018214.tif 000016
【図１５】
2020018214.tif 000017
【図１６】
2020018214.tif 000018
【図１７】
2020018214.tif 000019
【図１８】
2020018214.tif 000020
【図１９】
2020018214.tif 000021
【図２０】
2020018214.tif 000022
【図２１】
2020018214.tif 000023
【図２２】
2020018214.tif 000024
【図２３】
2020018214.tif 000025
【図２４】
2020018214.tif 000026